(57)【要約】【課題】文書の内容の判読の妨げにならないように、ページ番号等の上書き情報を文書に上書きプリントする文書処理装置。【解決手段】画像入力部１によって文書が読み取られて画像画像データが入力される。画像処理部２０５において、文書画像データから情報領域を抽出し、上書き領域と情報領域の重複を調べる。重複する場合、画像処理部２０５は上書き領域を情報領域と重ならない位置へ移動する処理を行い、移動後の上書き領域に上書き情報を上書きプリントするための上書きプリントデータを生成して画像出力部２へ送られる。画像出力部２は、文書の画像が読み取られた面に上書きプリントデータをプリントする。【選択図】図１
2007166244.tif 000002
【特許請求の範囲】
【請求項１】
文書の画像を読み取って文書画像データを入力する画像入力手段と、
前記文書画像データから情報領域を抽出して情報領域データを生成する情報領域抽出手段と、
上書き情報を前記文書の上書き領域に上書きプリントするための上書きプリントデータを生成する上書きプリント制御手段と、
前記文書の前記画像入力手段により画像が読み取られた面に、前記上書きプリントデータをプリントする画像出力手段とを有し、
前記上書きプリント制御手段は、前記領域情報データに基づき前記文書の情報領域と前記上書き領域とが重なっていると判断したときに、前記上書き領域を前記文書の情報領域と重ならない位置へ移動させる処理を行い、この処理後の前記上書き領域に前記上書き情報を上書きプリントするための前記上書きプリントデータを生成することを特徴とする文書処理装置。
【請求項２】
文書の画像を読み取って文書画像データを入力する画像入力手段と、
前記文書画像データから情報領域を抽出して情報領域データを生成する情報領域抽出手段と、
上書き情報を前記文書の上書き領域に上書きプリントするための上書きプリントデータを生成する上書きプリント制御手段と、
前記文書の前記画像入力手段により画像が読み取られた面に、前記上書きプリントデータをプリントする画像出力手段とを有し、
前記上書きプリント制御手段は、前記領域情報データに基づき前記文書の情報領域と前記上書き領域とが重なっていると判断したときに、前記上書き情報を加工する処理を行い、この処理後の前記上書き情報を上書きプリントするための前記上書きプリントデータを生成することを特徴とする文書処理装置。
【請求項３】
文書の画像を読み取って文書画像データを入力する画像入力手段と、
前記文書画像データから情報領域を抽出して情報領域データを生成する情報領域抽出手段と、
上書き情報を前記文書の上書き領域に上書きプリントするための上書きプリントデータを生成する上書きプリント制御手段と、
前記文書の前記画像入力手段により画像が読み取られた面に、前記上書きプリントデータをプリントする画像出力手段とを有し、
前記上書きプリント制御手段は、前記領域情報データに基づき前記文書の情報領域と前記上書き領域とが重なっていると判断したときに、前記画像出力手段による前記文書に対するプリントを抑止する制御を行うことを特徴とする文書処理装置。
【請求項４】
文書の画像を読み取って文書画像データを入力する画像入力手段と、
前記文書画像データから情報領域を抽出して情報領域データを生成する情報領域抽出手段と、
上書き情報を前記文書の上書き領域に上書きプリントするための上書きプリントデータを生成する上書きプリント制御手段と、
前記文書の前記画像入力手段により画像が読み取られた面に、前記上書きプリントデータをプリントする画像出力手段と、
前記上書き領域と前記文書の情報領域とが重なった場合の処理方法を利用者が指定する手段とを有し、
前記前記上書きプリント制御手段は、前記領域情報データに基づき前記文書の情報領域と前記上書き領域とが重なっていると判断した場合に、（１）利用者により前記処理方法として前記上書き領域を移動させる方法が指定されたときには、前記上書き領域を前記文書の情報領域と重ならない位置へ移動させ処理を行い、この処理後の前記上書き領域に前記上書き情報を上書きプリントするための前記上書きプリントデータを生成し、（２）利用者により前記処理方法として前記上書き情報を加工する方法が指定されたときには、前記上書き情報を加工する処理を行い、この処理後の前記上書き情報を上書きプリントするための前記上書きプリントデータを生成し、（３）利用者により前記処理方法として前記上書き情報の上書きプリントを中止する方法が指定されたときには、前記画像出力手段による前記文書に対するプリントを抑止する制御を行うことを特徴とする文書処理装置。
【請求項５】
利用者が複数の上書き情報の中から任意の上書き情報を指定する手段を有し、
前記上書きプリント制御手段は、利用者により指定された上書き情報を上書きプリントするための前記上書きプリントデータを生成することを特徴とする請求項１，２，３又は４記載の文書処理装置。
【請求項６】
利用者が何枚目の文書から上書き情報の上書きプリントを開始するかを指定する手段を有し、前記上書きプリント制御手段は、前記画像入力手段により読み取られた文書が上書きプリントを開始すべき文書より前の文書であると判断したときは上書き情報の上書きプリントを抑止する制御を行うことを特徴とする請求項１，２，３，４又は５項記載の文書処理装置。
【請求項７】
画像入力手段によって文書の画像を読み取って文書画像データを入力する画像入力工程と、
前記文書画像データから情報領域を抽出して情報領域データを生成する情報領域抽出工程と、
上書き情報を前記文書の上書き領域に上書きプリントするための上書きプリントデータを生成する上書きプリント制御工程と、
前記文書の前記画像入力手段により画像が読み取られた面に、画像出力手段によって前記上書きプリントデータをプリントする画像出力工程とを有し、
前記上書きプリント制御工程において、前記領域情報データに基づき前記文書の情報領域と前記上書き領域とが重なっていると判断したときに、前記上書き領域を前記文書の情報領域と重ならない位置へ移動させる処理を行い、この処理後の前記上書き領域に前記上書き情報を上書きプリントするための前記上書きプリントデータを生成することを特徴とする文書処理方法。
【請求項８】
画像入力手段によって文書の画像を読み取って文書画像データを入力する画像入力工程と、
前記文書画像データから情報領域を抽出して情報領域データを生成する情報領域抽出工程と、
上書き情報を前記文書の上書き領域に上書きプリントするための上書きプリントデータを生成する上書きプリント制御工程と、
前記文書の前記画像入力手段により画像が読み取られた面に、画像出力手段によって前記上書きプリントデータをプリントする画像出力工程とを有し、
前記上書きプリント制御工程において、前記領域情報データに基づき前記文書の情報領域と前記上書き領域とが重なっていると判断したときに、前記上書き情報を加工する処理を行い、この処理後の前記上書き情報を上書きプリントするための前記上書きプリントデータを生成することを特徴とする文書処理方法。
【請求項９】
画像入力手段によって文書の画像を読み取って文書画像データを入力する画像入力工程と、
前記文書画像データから情報領域を抽出して情報領域データを生成する情報領域抽出工程と、
上書き情報を前記文書の上書き領域に上書きプリントするための上書きプリントデータを生成する上書きプリント制御工程と、
前記文書の前記画像入力手段により画像が読み取られた面に、画像出力手段によって前記上書きプリントデータをプリントする画像出力工程とを有し、
前記上書きプリント制御工程において、前記領域情報データに基づき前記文書の情報領域と前記上書き領域とが重なっていると判断したときに、前記文書に対する前記上書き情報の上書きプリントを抑止する制御を行うことを特徴とする文書処理方法。
【請求項１０】
利用者が何枚目の文書から上書き情報の上書きプリントを開始するかを指定する工程を有し、前記上書きプリント制御工程は、前記画像入力手段により読み取られた文書が上書きプリントを開始すべき文書より前の文書であると判断したときは、前記上書き情報の上書きプリントを抑止する制御を行うことを特徴とする請求項７，８又は９記載の文書処理方法。
【請求項１１】
請求項７，８，９又は１０記載の文書処理方法の各工程をコンピュータに実行させるプログラム。
【請求項１２】
請求項７，８，９，又は１０記載の文書処理方法の各工程をコンピュータに実行させるプログラムが記録された、コンピュータが読み取り可能な情報記録媒体。
【発明の詳細な説明】
【技術分野】
【０００１】
本発明は、文書にページ番号その他の上書き情報を上書きプリントする文書処理装置及び文書処理方法に関する。
【背景技術】
【０００２】
特許文献１に記載されている原稿読み取り装置は、アルファベットや数字を原稿に印字するためのエンドーサユニットを備え、このエンドーサユニットによって画像読み取り後の原稿に、装置のステータス情報又はメンテナンス情報を印字する構成である。
【０００３】
特許文献２に記載されている画像読取兼記録装置は、原稿の画像を読み取る手段と原稿に印字する手段とを備え、読み取った原稿の画像データをＰＣへ転送する。ＰＣ側では例えば、原稿画像データより原稿中の枠のサイズを検出し該枠サイズに対応した印字データを画像読取兼記録装置へ転送し、該印字データを原稿の枠内に印字させる。
【０００４】
【特許文献１】特開２００４−８０６４３号公報
【特許文献２】特開２００５−１７８２６１号公報
【発明の開示】
【発明が解決しようとする課題】
【０００５】
会議資料等を作成する場合に、例えば図１５に例示するように、前半の３ページ分の文書５０１，５０２，５０３をあるアプリケーションソフトで作成し、後半の３ページ分の文書５０４，５０５，５０６を別のアプリケーションソフトで作成するようなケースは珍しくない。この場合、それぞれのアプリケーションソフト毎にページ番号を付けて文書をプリントアウトすると、図１５に示すように文書のページ番号が通し番号にならないという不都合が起こる。
【０００６】
このような不都合を避ける方法として、図１６に示すように、各アプリケーションソフト毎にページ番号を付けない（ページ番号部分を空白にした）文書５１１〜５１６のプリントアウトを行い、これら文書を複写機で複写し、その際に複写機の「ページ挿入機能」を利用して各文書のページ番号部分にページ番号を挿入させ、図１７に示すうな連続したページ番号をつけた文書５２１〜５２６を得ることが考えられる。しかし、この方法で得られるページ番号付きの文書５２１〜５２６は、元の文書のジェネレーションコピーであるため画質が劣化する問題がある。また、文書のレイアウト等によっては、文書中の文字その他の情報に重なった形でページ番号が挿入されてしまい、文書中の情報の判読が妨げられる心配もある。
【０００７】
よって、本発明の目的は、文書のコピーではなく、文書そのものに、文書中の情報の判読を妨げることなくページ番号その他の情報（例えば日付、ロゴマーク等）を付け加える処理を効率的に行う文書処理装置及び文書処理方法を提供することにある。
【課題を解決するための手段】
【０００８】
請求項１記載の発明は、文書の画像を読み取って文書画像データを入力する画像入力手段と、前記文書画像データから情報領域を抽出して情報領域データを生成する情報領域抽出手段と、上書き情報を前記文書の上書き領域に上書きプリントするための上書きプリントデータを生成する上書きプリント制御手段と、前記文書の前記画像入力手段により画像が読み取られた面に、前記上書きプリントデータをプリントする画像出力手段とを有し、前記上書きプリント制御手段は、前記領域情報データに基づき前記文書の情報領域と前記上書き領域とが重なっていると判断したときに、前記上書き領域を前記文書の情報領域と重ならない位置へ移動させる処理を行い、この処理後の前記上書き領域に前記上書き情報を上書きプリントするための前記上書きプリントデータを生成することを特徴とする文書処理装置である。
【０００９】
請求項２記載の発明は、文書の画像を読み取って文書画像データを入力する画像入力手段と、前記文書画像データから情報領域を抽出して情報領域データを生成する情報領域抽出手段と、上書き情報を前記文書の上書き領域に上書きプリントするための上書きプリントデータを生成する上書きプリント制御手段と、前記文書の前記画像入力手段により画像が読み取られた面に、前記上書きプリントデータをプリントする画像出力手段とを有し、前記上書きプリント制御手段は、前記領域情報データに基づき前記文書の情報領域と前記上書き領域とが重なっていると判断したときに、前記上書き情報を加工する処理を行い、この処理後の前記上書き情報を上書きプリントするための前記上書きプリントデータを生成することを特徴とする文書処理装置である。
【００１０】
請求項３記載の発明は、文書の画像を読み取って文書画像データを入力する画像入力手段と、前記文書画像データから情報領域を抽出して情報領域データを生成する情報領域抽出手段と、上書き情報を前記文書の上書き領域に上書きプリントするための上書きプリントデータを生成する上書きプリント制御手段と、前記文書の前記画像入力手段により画像が読み取られた面に、前記上書きプリントデータをプリントする画像出力手段とを有し、前記上書きプリント制御手段は、前記領域情報データに基づき前記文書の情報領域と前記上書き領域とが重なっていると判断したときに、前記画像出力手段による前記文書に対するプリントを抑止する制御を行うことを特徴とする文書処理装置である。
【００１１】
請求項４記載の発明は、文書の画像を読み取って文書画像データを入力する画像入力手段と、前記文書画像データから情報領域を抽出して情報領域データを生成する情報領域抽出手段と、上書き情報を前記文書の上書き領域に上書きプリントするための上書きプリントデータを生成する上書きプリント制御手段と、前記文書の前記画像入力手段により画像が読み取られた面に、前記上書きプリントデータをプリントする画像出力手段と、前記上書き領域と前記文書の情報領域とが重なった場合の処理方法を利用者が指定する手段とを有し、前記前記上書きプリント制御手段は、前記領域情報データに基づき前記文書の情報領域と前記上書き領域とが重なっていると判断した場合に、（１）利用者により前記処理方法として前記上書き領域を移動させる方法が指定されたときには、前記上書き領域を前記文書の情報領域と重ならない位置へ移動させ処理を行い、この処理後の前記上書き領域に前記上書き情報を上書きプリントするための前記上書きプリントデータを生成し、（２）利用者により前記処理方法として前記上書き情報を加工する方法が指定されたときには、前記上書き情報を加工する処理を行い、この処理後の前記上書き情報を上書きプリントするための前記上書きプリントデータを生成し、（３）利用者により前記処理方法として前記上書き情報の上書きプリントを中止する方法が指定されたときには、前記画像出力手段による前記文書に対するプリントを抑止する制御を行う、ことを特徴とする文書処理装置である。
【００１２】
請求項５記載の発明は、請求項１，２，３又は４記載の発明に係る文書処理装置であって、利用者が複数の上書き情報の中から任意の上書き情報を指定する手段を有し、前記上書きプリント制御手段は、利用者により指定された上書き情報を上書きプリントするための前記上書きプリントデータを生成することを特徴とする文書処理装置である。
【００１３】
請求項６記載の発明は、請求項１，２，３，４又は５項記載の発明に係る文書処理装置であって、利用者が何枚目の文書から上書き情報の上書きプリントを開始するかを指定する手段を有し、前記上書きプリント制御手段は、前記画像入力手段により読み取られた文書が上書きプリントを開始すべき文書より前の文書であると判断したときは上書き情報の上書きプリントを抑止する制御を行うことを特徴とする文書処理装置である。
【００１４】
請求項７記載の発明は、画像入力手段によって文書の画像を読み取って文書画像データを入力する画像入力工程と、前記文書画像データから情報領域を抽出して情報領域データを生成する情報領域抽出工程と、上書き情報を前記文書の上書き領域に上書きプリントするための上書きプリントデータを生成する上書きプリント制御工程と、前記文書の前記画像入力手段により画像が読み取られた面に、画像出力手段によって前記上書きプリントデータをプリントする画像出力工程とを有し、前記上書きプリント制御工程において、前記領域情報データに基づき前記文書の情報領域と前記上書き領域とが重なっていると判断したときに、前記上書き領域を前記文書の情報領域と重ならない位置へ移動させる処理を行い、この処理後の前記上書き領域に前記上書き情報を上書きプリントするための前記上書きプリントデータを生成することを特徴とする文書処理方法である。
【００１５】
請求項８記載の発明は、画像入力手段によって文書の画像を読み取って文書画像データを入力する画像入力工程と、前記文書画像データから情報領域を抽出して情報領域データを生成する情報領域抽出工程と、上書き情報を前記文書の上書き領域に上書きプリントするための上書きプリントデータを生成する上書きプリント制御工程と、前記文書の前記画像入力手段により画像が読み取られた面に、画像出力手段によって前記上書きプリントデータをプリントする画像出力工程とを有し、前記上書きプリント制御工程において、前記領域情報データに基づき前記文書の情報領域と前記上書き領域とが重なっていると判断したときに、前記上書き情報を加工する処理を行い、この処理後の前記上書き情報を上書きプリントするための前記上書きプリントデータを生成することを特徴とする文書処理方法である。
【００１６】
請求項９記載の発明は、画像入力手段によって文書の画像を読み取って文書画像データを入力する画像入力工程と、前記文書画像データから情報領域を抽出して情報領域データを生成する情報領域抽出工程と、上書き情報を前記文書の上書き領域に上書きプリントするための上書きプリントデータを生成する上書きプリント制御工程と、前記文書の前記画像入力手段により画像が読み取られた面に、画像出力手段によって前記上書きプリントデータをプリントする画像出力工程とを有し、前記上書きプリント制御工程において、前記領域情報データに基づき前記文書の情報領域と前記上書き領域とが重なっていると判断したときに、前記文書に対する前記上書き情報の上書きプリントを抑止する制御を行うことを特徴とする文書処理方法である。
【００１７】
請求項１０記載の発明は、請求項７，８又は９記載の発明に係る文書処理方法であって、利用者が何枚目の文書から上書き情報の上書きを開始するかを指定する工程を有し、前記上書きプリント制御工程は、前記画像入力手段により読み取られた文書が上書きプリントを開始すべき文書より前の文書であると判断したときは、前記上書き情報の上書きプリントを抑止する制御を行うことを特徴とする文書処理方法である。
【００１８】
請求項１１記載の発明は、請求項７，８，９又は１０記載の発明に係る文書処理方法の各工程をコンピュータに実行させるプログラムである。
【００１９】
請求項１２記載の発明は、請求項７，８，９，又は１０記載の発明に係る文書処理方法の各工程をコンピュータに実行させるプログラムが記録された、コンピュータが読み取り可能な情報記録媒体である。
【発明の効果】
【００２０】
・請求項１〜１０の発明によれば、文書に上書き情報（ページ番号、日付、ロゴマーク等）を上書きプリントすることができる。文書自体に上書きプリントされるため、複写機のページ挿入機能を利用するような方法と違い、文書の画質が劣化する心配はない。
・請求項１，７の発明によれば、上書き領域が文書の情報領域と重複すると判断されるときには、情報領域と重複しない位置へ上書き領域を移動する処理が行われるため、上書き情報によって文書内容の判読が妨げられることもない。したがって、様々なレイアウトの文書を処理可能である。
・請求項２，８の発明によれば、上書き領域が文書の情報領域と重複すると判断されるときには、上書き情報を加工する処理、すなわち、上書き情報の色や濃度を情報領域の判読の妨げになりにくい色や濃度に変更する処理が行われるため、上書き情報によって文書内容の判読が困難になることもない。したがって、様々なレイアウトの文書を処理可能である。
・請求項３，９の発明によれば、上書き領域が文書の情報領域と重複すると判断されるときには、上書き情報の上書きプリントが抑止されるため、上書き情報によって文書内容の判読が妨げられることがない。したがって、様々なレイアウトの文書を処理可能である。・請求項４の発明によれば、利用者は、文書の内容や用途等に応じて、上書き領域が文書の情報領域と重複すると判断される場合の処理方法として、上書き領域を移動させる方法、上書き情報を加工する方法、上書きプリントを抑止する方法のいずれかを選ぶことができる。
・請求項５の発明によれば、利用者は様々な上書き情報の中から必要な上書き情報を選び、それを文書に上書きプリントすることができる。
・請求項６，１０の発明によれば、例えば、目次の文書とそれに続く本文の文書からなる資料の場合に、目次にはページ番号を上書きプリントせず、本文にのみページ番号を上書きプリントする、というような制御が可能となる。
・請求項１１の発明に係るプログラムをコンピュータにロードすることにより、コンピュータで請求項７〜１０の発明を実施することができる。
・請求項１２の発明に係る情報記録媒体に記録されたプログラムをコンピュータにロードすることにより、請求項７〜１０の発明を実施することができる。
【発明を実施するための最良の形態】
【００２１】
図１は、本発明の一実施形態に係る文書処理装置のブロック図である。この文書処理装置は、画像入力／出力部１００と制御／処理部２００から構成される。
【００２２】
画像入力／出力部１００は、文書の画像を読み取りその画像データを制御／処理部２００に入力する手段である画像入力部１と、制御／処理部２００より与えられる画像データを画像入力部１により読み取られた文書にインク又はトナーを用いてプリントする手段である画像出力部２とからなる。
【００２３】
このような画像入力／出力部１００の具体的構成の一例を図２に示す。画像入力部１は、給紙トレイ上に載置された文書４を１枚ずつ取り込む給紙部３、取り込まれた文書を搬送する搬送部１６、搬送される文書を照明するランプ５、文書からの反射光を読取光学系１５を介し受光して画像データへ変換する画像読取部１４、この画像データを制御／処理部２００へ入力するためのインターフェース１７とから構成されている。
【００２４】
図２においては、搬送部１６で搬送中の文書の下側の面の画像が画像読取部１４に読み取られる如く表されているが、これは作図の便宜上であり、実際には文書の上側の面の画像が読み取られる位置関係にランプ５、読取光学系１５、画像読取部１４が配設されている。なお、文書の下側の面を読み取るようにし、読み取られた後の文書の表裏を反転する機構を搬送部１６に設けるようにしてもよく、かかる態様も本実施形態に包含される。
【００２５】
画像出力部２は、制御／処理部２００とのインターフェース１８、このインターフェース１８を介して制御／処理部２００より上書きプリントデータが入力されるレーザ光学系７、該レーザ光学系７より出射されたレーザ光で走査されることにより該上書きプリントデータに対応した静電潜像が形成される感光体９、感光体９上の静電潜像をトナー現像する現像器６、感光体９上のトナー像を搬送部１６により搬送される文書の上側の面（画像入力部１で読み取られた側の面）に転写する転写帯電器１３、該文書に転写されたトナー画像を定着する定着器１２、定着器１２を通過した文書が排出される排紙部１１から構成されている。感光体９の周囲には、感光体９の表面を一様に帯電させるための帯電器８、感光体９上の残留トナーを除去するクリーナ１０等が配設されている。
【００２６】
なお、画像出力部２は、インクの噴射又は転写によって画像をプリントする構成とすることも可能である。
【００２７】
図１を再度参照する。制御／出力部２００は、画像入力／出力部１００の制御や画像出力部２でプリントすべき画像データ（上書きプリントデータ）の生成などを行うものである。本実施形態においては、制御／出力部２００はプログラムに従って制御又は処理を実行するＣＰＵ２０１、ＣＰＵ２０１により実行されるプログラムや画像データ等の一時的な記憶に利用されるメモリ２０２、画像データやプログラム等の保存に利用されるハードディスク装置２０３、利用者が各種指定の入力等に利用する操作部２０４、上書きプリントデータの生成処理等の処理を行う画像処理部２０５をバス２０６で相互接続した構成である。なお、ＣＰＵ２０１で実行されるプログラムは、ハードディスク装置２０３よりメモリ２０２にロードされるが、メモリ２０２と別にプログラムを格納した別のＲＯＭ（読み取り専用メモリ）を設ける形態をとることも可能である。
【００２８】
このような制御／処理部２００は、画像入力／出力部１００と物理的に独立させる形態、画像入力／出力部１００と一体化させる形態のいずれをとることも可能である。
【００２９】
画像処理部２０５は、デジタル信号プロセッサ（ＤＳＰ）等のハードウェアを用いて実現する形態、ＣＰＵ２０１で実行されるプログラムによって実現される形態のいずれをとることも可能である。すなわち、制御／処理部２００は、ＣＰＵ、メモリ等からなる一般的なコンピュータのハードウェア資源を利用しプログラムによって実現することも可能である。そのようなプログラム及び同プログラムが記録された磁気ディスク、光ディスク、光磁気ディスク、半導体記憶素子等のコンピュータが読み取り可能な各種の情報記録（記憶）媒体も本発明に包含される。
【００３０】
ここで、この文書処理装置の動作の概要を説明する。ＣＰＵ２０１からの指示により、給紙トレイ上に載置されている文書が１枚、給紙部３により搬送部１６に給紙され、搬送部１５により搬送される文書の画像が画像読取部１４によって読み取られる。読み取られた文書画像データはインターフェース１７を通じて制御／処理部２００へ入力され、例えばメモリ２０２に記憶される。画像を読み取られた文書は搬送部１６によって転写帯電器１３の手前位置まで搬送される。
【００３１】
次にＣＰＵ２０１からの指示により、画像処理部２０５は、入力された文書画像データから文書の情報領域を認識し、文書の情報領域の内容の判読を困難にしないように上書き情報（ページ番号、日付、ロゴマークその他の画像等）を文書に上書きプリントするための上書きプリントデータを生成する。この上書きプリントデータの生成処理の詳細については後述する。
【００３２】
次に、ＣＰＵ２０１の制御により、画像出力部２において上書きプリントデータの文書への上書きプリントが実行される。すなわち、上書きプリントデータがインターフェース１８を通じてレーザ光学系７へ入力され、感光体９に上書き情報の静電潜像が形成され、これが現像器６によってトナー現像される。現像されたトナー像は、搬送部１６により搬送された文書に転写帯電器１３によって転写され、定着器１２を経由して排紙部１１に排出される。
【００３３】
ＣＰＵ２０１は、画像入力部１の給紙トレイ上に文書が残っているか否かを調べ、残っているならば、次の１枚に対する同様の処理を開始させる。図２には図示されていないが、画像入力部１には給紙トレイ上の文書の有無を検知するための検知器が設けられており、その検知信号は制御／処理部２００に入力される。ＣＰＵ２０１は、この検知信号から文書が残っているか否かを判定することができる。
【００３４】
図３は、画像処理部２０５の機能的構成を説明するためのブロック図である。画像処理部２０５は情報領域抽出手段３０１と上書きプリント制御手段３０４からなる。
【００３５】
情報領域抽出手段３０１は、画像入力部１により入力されてメモリ２０２に記憶されている文書画像データ３１０から文書の情報領域を認識するための手段（もしくは工程）であり、２値化手段３０２と外接矩形生成手段３０３とから構成される。
【００３６】
２値化処理手段３０２は、文書画像データ３１０を２値化する手段（もしくは工程）である。この２値化は、画像中の輝度が所定の閾値より低い画素を黒画素とし、輝度が所定の閾値以上の画素を白画素とする単純２値化方法によって行われる。ただし、他の２値化方法を用いることも可能である。文書画像データの２値化データ３１１はメモリ２０２に一時的に記憶される。
【００３７】
外接矩形生成手段３０３は、２値化データ３１１から、図８に例示するような文字領域４００、絵柄領域４０１、表領域４０２等の各種情報領域の外接矩形を生成する手段（もしくは工程）である。この例からも理解されるように、文書の余白部分以外の何らかの意味のある情報が記載された領域を情報領域と総称している。このような情報領域の外接矩形の生成には、ＯＣＲ分野等で用いられている公知の手法を用いることができる。例えば、２値化データ３１１又はそのＯＲ圧縮画像データより黒画素の繋がりを調べて黒画素連結成分の外接矩形を抽出し、次に、これら黒画素連結成分の外接矩形を水平方向及び垂直方向に統合することにより情報領域の外接矩形を生成する方法を用いることができる。抽出された情報領域の外接矩形の頂点座標などが情報領域データ３１２としてメモリ２０２に一時的に記憶される。
【００３８】
上書きプリント制御手段３０４は、情報領域データ３１２な基づいて、文書の情報領域の内容の判読を妨げないように上書き情報を該文書に上書きプリントするための上書きプリントデータ３１４をメモリ２０２に生成する手段（もしはく工程）である。上書き情報３１３は例えばハードディスク装置２０３からメモリ２０２に読み込まれる。
【００３９】
操作部２０４は、例えば図５に示すようにタッチパネル付き表示部２１１を有する。この表示部２１１は、利用者が各種指定の入力のためのラジオボタン等の表示に用いられる。表示部２１１の外側には、ソフトウェアのラジオボタンを利用した指定の確定等のためのボタン２１２とテンキーボタン２１３が設けられている。この操作部２０４に関連した制御はＣＰＵ２０１で実行されるプログラムによって行われ、入力された指定等の情報は画像処理部２０５の上書きプリント制御手段３０４へ通知される。
【００４０】
以下、図４に示すフローチャートを参照し、文書処理装置の動作を説明する。まず、利用者が操作部２０４を用いて必要な指定を入力する（ｓｔｅｐ０）。この指定の入力について図５、図６及び図７を参照して説明する。
【００４１】
まず、操作部２０４の表示部２１１に、図５に示すような上書き情報選択画面が表示される。ここに示す上書き情報選択画面の例では、上書き情報を指定するためのラジオボタン２１４〜２１８と、これに対応した上書き情報のサムネイル画像等２１９〜２２３が含まれている。利用者は希望する上書き情報に対応したラジオボタンにタッチし（指又はペンを触れる）ボタン２１２を押すことにより、その上書き情報の指定を入力することができる。なお、より多くの上書き情報を選択可能にするために、例えばスクロールボタンを上書き情報選択画面に設け、その操作によって選択可能な上書き情報のサムネイル画像等をスクロール表示させるようにしてもよい。
【００４２】
利用者がラジオボタン２１７にタッチし、上書き情報として「ページ番号」２２２を指定した場合には、何枚目の文書から上書きプリントを開始するかを指定するための図６に示すような指定画面が表示部２１１に表示される。利用者は、例えば３枚目の文書からページ番号を上書きしたい場合には、テンキーボタン２１３の操作によって「３」を入力する。入力された数値は表示窓２３１に表示される。この入力は取消ボタン２３２にタッチすることによって取り消すことができる。ボタン２１２を押すことにより、指定を入力することができる。なお、ページ番号以外の上書き情報を選んだ場合にも、同様の指定を行うことができるようにしてもよく、かかる態様も本実施形態に包含される。
【００４３】
このような指定を入力した後に、上書き領域と情報領域とが重なった場合の処理方法を利用者に選択させるため、図７に示すような指定画面が操作部２０４の表示部２１１に表示される。この指定画面には、上書き領域の「移動」を指定するためのラジオボタン２４１と、上書き情報の「加工」を指定するためのラジオボタン２４２と、上書きプリントの「中止」を指定するためのラジオボタン２４３が含まれる。利用者はいずれかのラジオボタンにタッチし、ボタン２１２を押すことにより、上書き領域と情報領域とが重なった場合の処理方法の指定を入力することができる。
【００４４】
以上の利用者による指定の入力が行われると、ＣＰＵ２０１より画像入力／出力部１００に対し読み取り指示が出され、画像入力部１において給紙トレイに載置された文書が１枚給紙されて読み取り動作が行われ、その文書の画像データが入力される（ｓｔｅｐ１）。この読み取り動作の詳細は先に述べた通りである。
【００４５】
１枚の文書の画像読み取りの終了がＣＰＵ２０１より画像処理部２０５へ通知されると、画像処理部２０５の上書きプリント制御手段３０４は、読み取られた文書が上書き対象であるか否かを確認する（ｓｔｅｐ２）。先に述べたように、上書き情報としてページ番号が指定された場合には、図６の指定画面で何枚目（Ｎ枚目とする）から上書きプリントを開始するかの指定も入力される。上書きプリント制御手段３０４では、読み取られた文書の枚数ｎをカウントしており、上書き情報としてページ番号が指定された場合にはカウントした枚数ｎと指定枚数Ｎを比較し、ｎ＜Ｎならば上書き対象外と判断する。ページ番号以外の上書き情報が指定された場合には、常に上書き対象と判断する。ただし、上に述べたように、ページ番号以外の上書き情報についても同様の指定がなされる場合には、上書き情報の種類にかかわらず上記判定を行う。
【００４６】
上書きプリント制御手段３０４は、読み取られた文書が上書き対象でないと判断した場合には排紙要求を出し、ＣＰＵ２０１は画像入力／出力部１００に文書をそのまま排紙部１１へ排紙させる動作を行わせる（ｓｔｅｐ１１）。すなわち、該文書については上書きプリントを抑止する制御が行われる。
【００４７】
読み取られた文書が上書き対象であると判断した場合、画像処理部２０５において該文書の情報領域を認識する処理を行う（ｓｔｅｐ３）。すなわち、情報領域抽出手段３０１は、該文書の文書画像データ３１０の２値化処理を２値化処理手段３０２で行い、得られた２値化データ３１１から情報領域の外接矩形を生成する処理を外接矩形生成手段３０３で行うことにより情報領域データ３１２を得る。
【００４８】
次に、上書きプリント制御手段３０４は、情報領域データに基づき、該文書の情報領域と上書き領域とを比較することにより、上書き領域と情報領域との重なりを調べる（ｓｔｅｐ４）。ここで、上書き領域とは、文書上に上書き情報が上書きプリントされるべき領域であって、その大きさは利用者により指定された上書き情報の文書上でのサイズによって決まり、その初期位置はデフォルト設定されている。ただし、初期位置を利用者が指定できるようにしてもよく、かかる態様も本実施形態に包含される。
【００４９】
上書き領域が情報領域と重なると判定した場合（ｓｔｅｐ４，Ｙｅｓ）、上書きプリント制御手段３０４は、図７の指定画面で指定された処理方法をチェックし（ｓｔｅｐ５，６）、その結果に応じた処理を実行する。
【００５０】
まず、利用者により処理方法として「移動」が指定されている場合（ｓｔｅｐ５，Ｙｅｓ）、上書きプリント制御手段３０４は、上書き領域を情報領域と重ならないように移動させ（ｓｔｅｐ７）、移動後の上書き領域に上書き情報を上書きプリントするための上書きプリントデータ３１４を生成する（ｓｔｅｐ９）。次に上書きプリント制御手段３０４から上書きプリント要求が出され、これに応じてＣＰＵ２０１は画像入力／出力部１００に上書きプリントデータ３１４を転送し、そのプリント動作を実行させる（ｓｔｅｐ１０）。このプリント動作の詳細は前述した通りである。一例を挙げれば、図８に示すような情報領域を持つ文書の場合に、図９に示すように上書き領域４１１が情報領域（この例では文書領域４００）と重なるときには、例えば図１０に示すような位置へ上書き領域４１１を移動させる。そして、図１１に示すように移動後の上書き領域に上書き情報４１３（ここではページ番号）を貼り付けた上書きプリントデータ３１４を生成する。したがって、図１２に示すように原稿に上書き情報４１３が上書きプリントされる。このように上書き情報が文書の情報領域と重ならないように上書きプリントされるため、上書き情報は文書の情報領域の内容の判読の妨げにならない。
【００５１】
なお、上書き領域と情報領域が重ならないと判断した場合（ｓｔｅｐ４，Ｎｏ）、上書きプリント制御手段３０４は、初期位置の上書き領域に上書き情報を上書きプリントするための上書きプリントデータを生成させ（ｓｔｅｐ９）、そのプリント動作を実行させる（ｓｔｅｐ１０）。
【００５２】
利用者により処理方法として「加工」が指定されている場合（ｓｔｅｐ６，Ｙｅｓ）、上書きプリント制御手段３０４は、上書き情報が文書の情報領域の内容の判読の妨げにならないように加工する（ｓｔｅｐ８）。具体的には、上書き情報を、情報領域の内容の判読の妨げになりにくい色や濃度に加工する。なお、変更後の色や濃度を予め決めておく方法、上書き領域と重なる情報領域の色や濃度に応じて適応的に決定する方法のいずれをとることも可能である。後者の方法の場合、上書き領域と重なる情報領域について文書画像データ３１０の平均的な色や濃度を算出し、その色や濃度に基づいて上書き情報を最適な色や濃度に変更する。そして、上書きプリント制御手段３０４は、加工後の上書き情報を初期位置の上書き領域に貼り付けた上書きプリントデータ３１４を生成し（ｓｔｅｐ９）、そのプリント動作を実行させる（ｓｔｅｐ１０）。
【００５３】
利用者により処理方法として「中止」が指定されている場合（ｓｔｅｐ５及びｓｔｅｐ６，Ｎｏ）、上書きプリント制御手段３０４は該文書の排紙動作を実行させる（ｓｔｅｐ１１）。つまり、該文書について上書き情報の上書きプリントを抑止する制御が行われる。ただし、上書き情報がページ番号の場合、上書きされないときにもページ番号は１だけインクリメントされる。
【００５４】
１枚の文書に対する処理が終了すると、前述したような給紙トレイ上に未処理の文書が残っているか否かのチェックがＣＰＵ２０１で行われる（ｓｔｅｐ１２）。文書が残っているならば（ｓｔｅｐ１２，Ｙｅｓ）、ｓｔｅｐ１に戻り次の１枚の文書に対する処理が開始する。給紙トレイ上の文書が全て処理されると（ｓｔｅｐ１２，Ｎｏ）、一連の動作を終了する。
【００５５】
図４に関連して説明した動作の場合、最初に上書き領域が情報領域と重なった場合の処理方法を指定し、１枚１枚の文書の処理に利用者を介入させないようにしている。このような動作形態は、多量の文書を効率よく処理することができる。
【００５６】
しかし、１枚１枚の文書の処理の過程で、上書き領域が情報領域と重なった時に利用者に処理方法を判断させる動作形態をとることも可能である。かかる動作形態について、図１３のフローチャートを参照し説明する。
【００５７】
まず、利用者が操作部２０４を用いて、図５及び図６を参照して説明したような指定を入力する（ｓｔｅｐ２０）。ただし、図７を参照して説明したような処理方法の指定は入力しない。
【００５８】
利用者による指定の入力が行われると、ＣＰＵ２０１より画像入力／出力部１００に対し読み取り指示が出され、画像入力部１において給紙トレイに載置された文書が１枚給紙されて読み取り動作が行われ、その文書の画像データが入力される（ｓｔｅｐ２１）。
【００５９】
１枚の文書の画像読み取りの終了がＣＰＵ２０１より画像処理部２０５へ通知されると、画像処理部２０５の上書きプリント制御手段３０４は、読み取られた文書が上書き対象であるか否かを確認する（ｓｔｅｐ２）。この確認はｓｔｅｐ２と同様の方法によって行われる。
【００６０】
上書きプリント制御手段３０４は、読み取られた文書が上書き対象でないと判断した場合には、排紙要求を出し、画像入力／出力部１００に文書をそのまま排紙部１１へ排紙させる動作を行わせる（ｓｔｅｐ３３）。
【００６１】
読み取られた文書が上書き対象であると判断した場合、画像処理部２０５において該文書の情報領域を認識する処理を行う（ｓｔｅｐ２３）。この処理はｓｔｅｐ３と同様である。
【００６２】
次に、上書きプリント制御手段３０４は、情報領域データに基づき、該文書の情報領域と上書き領域とを比較することにより、上書き領域と情報領域の重なりを調べる（ｓｔｅｐ２４）。
【００６３】
上書き領域と情報領域が重ならないと判断した場合（ｓｔｅｐ２４，Ｎｏ）、上書きプリント制御手段３０４は、指定された上書き情報を初期位置の上書き領域に上書きプリントするための上書きプリントデータを生成させ（ｓｔｅｐ３１）、そのプリント動作を実行させる（ｓｔｅｐ３２）。
【００６４】
上書き領域が情報領域と重なると判定した場合（ｓｔｅｐ２４，Ｙｅｓ）、上書きプリント制御手段３０４は、操作部２５２の表示部２１１に処理方法の指定画面を表示させ、利用者に処理方法の指定を入力させる（ｓｔｅｐ２５）。この指定画面は、例えば図１４に示すように、上書きプリントのプレビュー画像２５１と、「移動」「加工」「中止」を指定するためのラジオボタン２５３〜２５５とからなる。プレビュー画像２５１の表示は、例えば文書画像データ３１０に対し指定された上書き情報２５２をデフォルト位置の上書き領域に貼り付ける処理を行い、処理後の画像データを縮小表示させることによって行われる。ただし、プレビュー画像２５１の表示を行わないようにしてもよい。利用者は、処理方法を選択し、それに対応したラジオボタンにタッチし、ボタン２１２を押すことにより処理方法の指定を入力することができる。なお、「加工」を指定した場合に、加工後の色や濃度を指定するための画面を表示部２１１に表示させ、利用者に色や濃度を指定させるようにしてもよく、かかる態様も本実施形態に包含される。
【００６５】
利用者の指定が入力されると、上書きプリント制御手段３０４は指定された処理方法をチェックし（ｓｔｅｐ２６，２７）、その結果に応じた処理を実行する。
【００６６】
まず、利用者により処理方法として「移動」が指定されている場合（ｓｔｅｐ２６，Ｙｅｓ）、上書きプリント制御手段３０４は、上書き領域を情報領域と重ならないように移動させ（ｓｔｅｐ２９）、移動後の上書き領域に上書き情報を上書きプリントするための上書きプリントデータ３１４を生成し（ｓｔｅｐ３０）、そのプリント動作を実行させる（ｓｔｅｐ３２）。
【００６７】
利用者により処理方法として「加工」が指定されている場合（ｓｔｅｐ２７，Ｙｅｓ）、上書きプリント制御手段３０４は、上書き情報を文書の情報領域の内容の判読の妨げにならないように加工し（ｓｔｅｐ３０）、加工後の上書き情報を初期位置の上書き領域に貼り付けた上書きプリントデータ３１４を生成し（ｓｔｅｐ３１）、そのプリント動作を実行させる（ｓｔｅｐ３２）。
【００６８】
利用者により処理方法として「中止」が指定されている場合（ｓｔｅｐ２６及びｓｔｅｐ２７，Ｎｏ）、上書きプリント制御手段３０４は該文書の排紙動作を実行させる（ｓｔｅｐ３３）。つまり、該文書には上書き情報は上書きされない。ただし、上書き情報がページ番号の場合、上書きされないときにもページ番号は１つインクリメントされる。
【００６９】
１枚の文書に対する処理が終了すると、前述したような給紙トレイ上に未処理の文書が残っているか否かのチェックが行われる（ｓｔｅｐ３４）。文書が残っているならば（ｓｔｅｐ３４，Ｙｅｓ）、ｓｔｅｐ２１に戻り次の１枚の文書に対する処理が開始する。給紙トレイ上の文書が全て処理されると（ｓｔｅｐ３４，Ｎｏ）一連の動作を終了する。
【００７０】
＜本発明に係る文書処理方法、プログラム及び情報記録媒体について＞
以上、本発明に係る文書処理装置の実施形態について説明した。この説明中の各手段を処理の工程と読み替えるならば、以上の説明は本発明に係る文書処理方法の説明でもあることは明らかである。
【００７１】
すなわち、図４中のｓｔｅｐ１又は図１３中のｓｔｅｐ２１は、画像入力手段によって文書の画像を読み取って文書画像データを入力する画像入力工程に対応し、ｓｔｅｐ３又はｓｔｅｐ２３は文書画像データから情報領域を抽出して情報領域データを生成する情報領域抽出工程に対応し、ｓｔｅｐ９又ｓｔｅｐ３１は上書きプリントデータを生成する上書きプリント制御工程に対応し、また、ｓｔｅｐ１０又はｓｔｅｐ３２は画像出力手段によって上書きプリントデータを文書にプリントする画像出力工程に対応する（請求項７〜１０）。そして、ｓｔｅｐ７又はｓｔｅｐ２９は文書の情報領域と上書き領域とが重なると判断したときに上書き領域を文書の情報領域と重ならない位置へ移動する処理に対応し（請求項７）、ｓｔｅｐ８又はｓｔｅｐ３０は文書の情報領域と上書き領域とが重なると判断したときに上書き情報を加工する処理に対応し（請求項８）、ｓｔｅｐ１１又はｓｔｅｐ３３は文書の情報領域と上書き領域とが重なると判断したときに上書きプリントを抑止する制御に対応する（請求項９）。また、ｓｔｅｐ０又はｓｔｅｐ２０において、図６の指定画面による利用者の指定入力は、利用者が何枚目の文書から上書き情報の上書きプリントを開始するかを指定する工程に対応し、ｓｔｅｐ１１又はｓｔｅｐ２２で画像入力手段により読み取られた文書が上書きプリントを開始すべき文書より前であると判定したときにｓｔｅｐ１１，３３に飛ぶことは上書きプリントを抑止する制御に対応する（請求項１０）。
【００７２】
以上の本発明に係る文書処理方法の各工程をコンピュータを利用しプログラムで実行させることができる。このようなプログラムは請求項１１記載の発明の実施例に相当する。また、かかるプログラムが記録された磁気ディスク、光ディスク、光磁気ディスク、半導体記憶素子等のコンピュータが読み取り可能な各種の情報記録（記憶）媒体は請求項１２記載の発明の実施例に相当する。
【図面の簡単な説明】
【００７３】
【図１】本発明に係る文書処理装置の全体構成を説明するためのブロック図である。
【図２】画像入力／出力部の具体例を示す模式的な断面構成図である。
【図３】画像処理部の機能的構成を説明するためのブロック図である。
【図４】文書処理装置の動作を説明するためのフローチャートである。
【図５】利用者による指定入力を説明するための図である。
【図６】利用者による指定入力を説明するための図である。
【図７】利用者による指定入力を説明するための図である。
【図８】文書の情報領域の説明図である。
【図９】上書き領域と情報領域の重なり例を示す図である。
【図１０】上書き領域の移動例を示す図である。
【図１１】上書きプリントデータの例を示す図である。
【図１２】上書きプリント結果の例を示す図である。
【図１３】文書処理装置の他の動作形態を説明するためのフローチャートである。
【図１４】利用者の指定入力を説明するための図である。
【図１５】ページ番号が連番にならない例を示す図である。
【図１６】ページ番号を空白にする例を示す図である。
【図１７】連続したページ番号を付けた例を示す図である。
【符号の説明】
【００７４】
１  画像入力部
２  画像出力部
１００  画像入力／出力部
２００  制御／処理部
２０１  ＣＰＵ
２０２  メモリ
２０３  ハードディスク装置
２０４  操作部
２０５  画像処理部
３０１  情報領域抽出手段
３０２  ２値化処理手段
３０３  外接矩形生成手段
３０４  上書きプリント制御手段
【図１】
2007166244.tif 000003
【図２】
2007166244.tif 000004
【図３】
2007166244.tif 000005
【図４】
2007166244.tif 000006
【図５】
2007166244.tif 000007
【図６】
2007166244.tif 000008
【図７】
2007166244.tif 000009
【図８】
2007166244.tif 000010
【図９】
2007166244.tif 000011
【図１０】
2007166244.tif 000012
【図１１】
2007166244.tif 000013
【図１２】
2007166244.tif 000014
【図１３】
2007166244.tif 000015
【図１４】
2007166244.tif 000016
【図１５】
2007166244.tif 000017
【図１６】
2007166244.tif 000018
【図１７】
2007166244.tif 000019